【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
前方向（ＤＦ）から後方向（ＤＲ）に延在するヘッド縦軸（Ａ）周りに回転方向（Ｒ）に回転する、回転切削作業のための交換可能な切削ヘッド（２２）であって、
切削部分（２６）を形成する前方部分と、取付部分（２８）を形成する後方部分と、を備え、
前記取付部分（２８）は、前記ヘッド縦軸（Ａ）に対して横切る方向に延在し、前記切削部分（２６）と前記取付部分（２８）との間の境界を画定する後向きのヘッド基面（４０）から後方に突出する雄型結合部材（３８）を備え、
前記雄型結合部材（３８）は、
外向きの前方及び後方軸受部分（５０、５２）と、これらの間に位置する雄ねじ（４２）と、を備え、
前記前方軸受部分（５０）は、後ろ方向（ＤＲ）に内側にテーパして前方ヘッド円錐角（α）を規定する円錐形の前方ヘッド当接面（５４）を備え、
前記後方軸受部分（５２）は、後ろ方向（ＤＲ）に内側にテーパして後方ヘッド円錐角（β）を規定する円錐形の後方ヘッド当接面（５６）を備え、
前記前方及び後方ヘッド円錐角（α、β）は、同じ値を有する、交換可能な切削ヘッド（２２）。
【請求項２】
前記前方ヘッド円錐角（α）は、５°≦α≦７°の範囲内にあり、
前記後方ヘッド円錐角（β）は、５°≦β≦７°の範囲内にある、請求項１に記載の交換可能な切削ヘッド（２２）。
【請求項３】
前記前方及び後方ヘッド円錐角（α、β）は、ちょうど６°に等しい、請求項１又は２に記載の交換可能な切削ヘッド（２２）。
【請求項４】
前記雄ねじ（４２）は、平行ねじである、請求項１乃至３のいずれか一項に記載の交換可能な切削ヘッド（２２）。
【請求項５】
前記前方ヘッド当接面（５４）は、前記ヘッド縦軸（Ａ）を中心とする仮想的な雄ねじ前方円錐（６０）上にあり、
前記複数の雄ねじ山頂（４６）は、軸方向を前記前方及び後方軸受部分（５０、５２）で区切られた仮想的な雄ねじ山頂円筒（６２）を画定し、
前記仮想的な雄ねじ前方円錐（６０）は、前記仮想的な雄ねじ山頂円筒（６２）と交差する、請求項４に記載の交換可能な切削ヘッド（２２）。
【請求項６】
前記後方ヘッド当接面（５６）は、前記ヘッド縦軸（Ａ）を中心とする仮想的な雄ねじ後方円錐（６４）上にあり、
前記複数の雄ねじ谷底（４８）は、軸方向を前記前方及び後方軸受部分（５０、５２）で区切られた仮想的な雄ねじ谷底円筒（６６）を画定し、
前記仮想的な雄ねじ後方円錐（６４）は、前記仮想的な雄ねじ谷底円筒（６６）と交差する、請求項４に記載の交換可能な切削ヘッド（２２）。
【請求項７】
前記前方軸受部分（５０）に最も近い前記雄ねじ（４２）の外径は、前記前方ヘッド当接面（５４）の最小雄ねじ前方径（ＦＤＥ）よりも小さい雄ねじ外径（ＤＥ１）を規定する、請求項１乃至６のいずれか一項に記載の交換可能な切削ヘッド（２２）。
【請求項８】
前記後方軸受部分（５２）に最も近い前記雄ねじ（４２）の内径は、前記後方ヘッド当接面（５６）の最大雄ねじ後方径（ＲＤＥ）よりも大きい雄ねじ内径（ＤＥ２）を規定する、請求項１乃至７のいずれか一項に記載の交換可能な切削ヘッド（２２）。
【請求項９】
前記後方ヘッド当接面（５６）の最大雄ねじ後方径（ＲＤＥ）は、前記前方ヘッド当接面（５４）の最小雄ねじ前方径（ＦＤＥ）よりも小さい、請求項１乃至８のいずれか一項に記載の交換可能な切削ヘッド（２２）。
【請求項１０】
前記前方ヘッド当接面（５４）は、前方ヘッド円錐軸方向高さ（Ｈ１）を有し、
前記後方ヘッド当接面（５６）は、後方ヘッド円錐軸方向高さ（Ｈ２）を有し、
前記後方ヘッド円錐軸方向高さ（Ｈ２）は、前記前方ヘッド円錐軸方向高さ（Ｈ１）よりも大きい、請求項１乃至９のいずれか一項に記載の交換可能な切削ヘッド（２２）。
【請求項１１】
前方向（ＤＦ）から後方向（ＤＲ）に延在するホルダ縦軸（Ｃ）を有する工具ホルダ（２４）であって、
前記ホルダ縦軸（Ｃ）に対して横切る方向に延在する前向きのホルダ前面（７０）から後方に延在する雌型結合部材（６８）を備え、
前記雌型結合部材（６８）は、
内向きの前方及び後方支持部分（８０、８２）と、これらの間に位置する雌ねじ（７２）と、を備え、
前記前方支持部分（８０）は、後ろ方向（ＤＲ）に内側にテーパして前方ホルダ円錐角（γ）を規定する前方ホルダ当接面（８４）を備え、
前記後方支持部分（８２）は、後ろ方向（ＤＲ）に内側にテーパして後方ホルダ円錐角（δ）を規定する後方ホルダ当接面（８８）を備え、
前記前方及び後方ホルダ円錐角（γ、δ）は、同じ値を有する、工具ホルダ（２４）。
【請求項１２】
前記前方ホルダ円錐角（γ）は４．７°≦γ≦６．７°の範囲内にあり、
前記後方ホルダ円錐角（δ）は４．７°≦δ≦６．７°の範囲内にある、請求項１１に記載の工具ホルダ（２４）。
【請求項１３】
前記前方及び後方ホルダ円錐角（γ、δ）は、５．７°に等しい、請求項１２に記載の工具ホルダ（２４）。
【請求項１４】
前記雌ねじ（７２）は、平行ねじである、請求項１１乃至１３のいずれか一項に記載の工具ホルダ（２４）。
【請求項１５】
前記前方ホルダ当接面（８４）は、前記ホルダ縦軸（Ｃ）を中心とする仮想的な雌ねじ前方円錐（９０）上にあり、
前記複数の雌ねじ谷底（７８）は、軸方向を前記前方及び後方支持部分（８０、８２）で区切られた仮想的な雌ねじ谷底円筒（９６）を画定し、
前記仮想的な雌ねじ前方円錐（９０）は、前記仮想的な雌ねじ谷底円筒（９６）と交差する、請求項１４に記載の工具ホルダ（２４）。
【請求項１６】
前記後方ホルダ当接面（８８）は、前記ホルダ縦軸（Ｃ）を中心とする仮想的な雌ねじ後方円錐（９４）上にあり、
前記複数の雌ねじ山頂（７６）は、軸方向を前記前方及び後方支持部分（８０、８２）で区切られた仮想的な雌ねじ山頂円筒（９２）を画定し、
前記仮想的な雌ねじ後方円錐（９４）は、前記仮想的な雌ねじ山頂円筒（９２）と交差する、請求項１４に記載の工具ホルダ（２４）。
【請求項１７】
前記前方支持部分（８０）に最も近い前記雌ねじ（７２）の外径は、前記前方ホルダ当接面（８４）の最小雌ねじ前方径（ＦＤＩ）よりも小さい雌ねじ外径（ＤＩ１）を規定する、請求項１１乃至１６のいずれか一項に記載の工具ホルダ（２４）。
【請求項１８】
前記後方支持部分（８２）に最も近い前記雌ねじ（７２）の内径は、前記後方ホルダ当接面（８８）の最大雌ねじ後方径（ＲＤＩ）よりも大きい雌ねじ内径（ＤＩ２）を規定する、請求項１１乃至１７のいずれか一項に記載の工具ホルダ（２４）。
【請求項１９】
前記後方ホルダ当接面（８８）の最大雌ねじ後方径（ＲＤＩ）は、前記前方ホルダ当接面（８４）の最小雌ねじ前方径（ＦＤＩ）よりも小さい、請求項１１乃至１８のいずれか一項に記載の工具ホルダ（２４）。
【請求項２０】
前記前方ホルダ当接面（８４）は、前方ホルダ円錐軸方向高さ（Ｈ３）を有し、
前記後方ホルダ当接面（８８）は、後方ホルダ円錐軸方向高さ（Ｈ４）を有し、
前記後方ホルダ円錐軸方向高さ（Ｈ４）は、前記前方ホルダ円錐軸方向高さ（Ｈ３）よりも大きい、請求項１１乃至１９のいずれか一項に記載の工具ホルダ（２４）。
【請求項２１】
請求項１乃至１０のいずれか一項に記載の交換可能な切削ヘッド（２２）と、
請求項１１乃至２０のいずれか一項に記載の工具ホルダ（２４）と、
を備えた回転切削工具（２０）であって、
前記回転切削工具（２０）は、解放位置とロック位置との間で調整可能であり、
前記ロック位置において、
前記雄型結合部材（３８）は、前記雌型結合部材（６８）に取り外し可能に保持され、
前記雄及び雌ねじ（４２、７２）は、互いに螺合し、
前記ヘッド基面（４０）は、前記ホルダ前面（７０）に当接し、
前記前方ヘッド当接面（５４）は、前記前方ホルダ当接面（８４）に当接し、
前記後方ヘッド当接面（５６）は、前記後方ホルダ当接面（８８）に当接する、回転切削工具（２０）。
【請求項２２】
前記解放位置において、
前記雄型結合部材（３８）は、前記雌型結合部材（６８）の外に位置し、
前記前方ヘッド円錐角（α）は、５°≦α≦７°の範囲内にあり、
前記後方ヘッド円錐角（β）は、５°≦β≦７°の範囲内にあり、
前記前方ホルダ円錐角（γ）は、４．７°≦γ≦６．７°の範囲内にあり、
前記後方ホルダ円錐角（δ）は、４．７°≦δ≦６．７°の範囲内にある、請求項２１に記載の回転切削工具（２０）。
【請求項２３】
前記解放位置において、
前記前方及び後方ヘッド円錐角（α、β）は、前記前方及び後方ホルダ円錐角（γ、δ）よりも最大で０．６°大きい、請求項２２に記載の回転切削工具（２０）。
【請求項２４】
前記前方及び後方ヘッド円錐角（α、β）は、前記前方及び後方ホルダ円錐角（γ、δ）よりも０．３°大きい、請求項２３に記載の回転切削工具（２０）。
【請求項２５】
前記ロック位置において、
前記前方及び後方支持部分（８０、８２）が弾性的に変形することによって、前記前方及び後方ヘッド円錐角（α、β）と前記前方及び後方ホルダ円錐角（γ、δ）は同じ値を有する、請求項２１乃至２４のいずれか一項に記載の回転切削工具（２０）。
【請求項２６】
前記回転切削工具（２０）は、前記第１のプレロック位置と、前記ロック位置以前の第２のプレロック位置と、の間でさらに調整可能であり、
前記第２のプレロック位置において、
前記雄及び雌ねじ（４２、７２）は、互いに螺合し、
前記ヘッド基面（４０）は、前記ホルダ前面（７０）から前記第１の前方距離（Ｆ１）未満である第２の前方距離（Ｆ２）だけ離間し、
前記前方ヘッド当接面（５４）は、前記前方ホルダ当接面（８４）に接触しており、
前記後方ヘッド当接面（５６）は、前記後方ホルダ当接面（８８）に初めて接触する、請求項２１に記載の回転切削工具（２０）。
【請求項２７】
前記前方ヘッド当接面（５４）は、前方ヘッド円錐軸方向高さ（Ｈ１）を有し、
前記後方ヘッド当接面（５６）は、後方ヘッド円錐軸方向高さ（Ｈ２）を有し、
前記前方ホルダ当接面（８４）は、前方ホルダ円錐軸方向高さ（Ｈ３）を有し、
前記後方ホルダ当接面（８８）は、後方ホルダ円錐軸方向高さ（Ｈ４）を有し、
前記前方ヘッド円錐軸方向高さ（Ｈ１）は、前記前方ホルダ円錐軸方向高さ（Ｈ３）よりも大きく、
前記後方ヘッド円錐軸方向高さ（Ｈ２）は、前記後方ホルダ円錐軸方向高さ（Ｈ４）よりも大きい、請求項２１乃至２６のいずれか一項に記載の回転切削工具（２０）。